(57)【要約】【課題】引裂帯を切断して開封した後、容易に再封緘できる紙箱を提供する。【解決手段】対向する側板１の上縁から内蓋フラップ５及び外蓋フラップ６を、端板２の上縁から端フラップ７をそれぞれ延出し、外蓋フラップ６に切目線９に挟まれた横方向の引裂帯８を設け、端フラップ７を内側へ折り曲げ、引裂帯８より先端側で外蓋フラップ６を内蓋フラップ５に貼り合わせて封緘した紙箱において、前記内蓋フラップ５の先端中央部に差込片１１を、両側部に押圧片１２をそれぞれ形成し、前記引裂帯８をなす切目線９のうち、外蓋フラップ６の基端側に位置する切目線９の中央部分に凹部１０を設け、引裂帯８を引き裂いて開封した後、差込片１１を凹部１０の位置で外蓋フラップ６の基端側部分の下方に押し込むと、再封緘されるようにする。【選択図】図２
2005297993.tif 000002
【特許請求の範囲】
【請求項１】
対向する側板の上縁から内蓋フラップ及び外蓋フラップを、端板の上縁から端フラップをそれぞれ延出し、外蓋フラップに切目線に挟まれた横方向の引裂帯を設け、端フラップを内側へ折り曲げ、引裂帯より先端側で外蓋フラップを内蓋フラップに貼り合わせて封緘する紙箱において、前記内蓋フラップの先端中央部に差込片を、両側部に押圧片をそれぞれ形成し、前記引裂帯をなす切目線のうち、外蓋フラップの基端側に位置する切目線の中央部分に凹部を設け、引裂帯を引き裂いて開封した後、差込片を凹部の位置で外蓋フラップの基端側部分の下方に押し込んで再封緘するようにしたことを特徴とする紙箱。
【請求項２】
請求項１に記載の再封緘可能な紙箱において、前記外蓋フラップに設けた引裂帯の外側に、凹部を有する切目線に並行するように、紙材の表面側のみを切断して破止線を入れたことを特徴とする紙箱。
【発明の詳細な説明】
【技術分野】
【０００１】
この発明は、引裂帯を切断して開封した後、再封緘できるようにした菓子箱等の紙箱に関するものである。
【背景技術】
【０００２】
従来、菓子を包装する紙箱として、図８に示すように、対向する側板５１の上縁から内蓋フラップ５３及び外蓋フラップ５４を、端板５２の上縁から端フラップ５５をそれぞれ延出し、外蓋フラップ５４に、鉤形の切目が断続する２本の平行な切目線５７に挟まれた横方向の引裂帯５６を設け、端フラップ５５を内側へ折り曲げ、引裂帯５６より先端側で外蓋フラップ５４を内蓋フラップ５３に貼り合わせて封緘するものが使用されている。
【０００３】
この紙箱は、引裂帯５６を一端から引き裂いて、外蓋フラップ５４を切断すると、図９に示すように、上端面が開封されて開口し、その後、内蓋フラップ５３の先端の差込片５８を外蓋フラップ５４のスリット５９に差し込むと、再封緘することができる。
【発明の開示】
【発明が解決しようとする課題】
【０００４】
しかしながら、上記のような紙箱では、再封緘に際し、内蓋フラップ５３を丸めるように撓ませつつ、差込片５８を浅い角度でスリット５９に狙いを定めて差し込まなければならず、再封緘しづらいという問題がある。
【０００５】
そこで、この発明は、引裂帯を切断して開封した後、容易に再封緘できる紙箱を提供することを課題とする。
【課題を解決するための手段】
【０００６】
上記課題を解決するため、この発明は、対向する側板の上縁から内蓋フラップ及び外蓋フラップを、端板の上縁から端フラップをそれぞれ延出し、外蓋フラップに切目線に挟まれた横方向の引裂帯を設け、端フラップを内側へ折り曲げ、引裂帯より先端側で外蓋フラップを内蓋フラップに貼り合わせて封緘する紙箱において、前記内蓋フラップの先端中央部に差込片を、両側部に押圧片をそれぞれ形成し、前記引裂帯をなす切目線のうち、外蓋フラップの基端側に位置する切目線の中央部分に凹部を設け、引裂帯を引き裂いて開封した後、差込片を凹部の位置で外蓋フラップの基端側部分の下方に押し込んで再封緘するようにしたのである。
【０００７】
また、前記紙箱において、前記外蓋フラップに設けた引裂帯の外側に、凹部を有する切目線に並行するように、紙材の表面側のみを切断した破止線を入れ、引裂帯の引裂時に、紙材の表面側の捲れが破止線で阻止されるようにしたのである。
【発明の効果】
【０００８】
このような紙箱では、再封緘に際し、差込片を切目線の凹部の位置で外蓋フラップの下方に押し込むだけでよく、内蓋フラップを丸めるように撓ませたり、差込片を狭いスリットに差し込んだりする必要がない。そして、再封緘状態では、差込片と凹部が係合して、内蓋フラップと外蓋フラップの横方向の相互移動が抑制され、箱の形状が安定する。
【０００９】
また、前記引裂帯の外側に、凹部を有する切目線に並行するように、紙材の表面側のみを切断して破止線を入れると、引裂帯の引裂時に、凹部からの紙材表面の捲れが破止線で阻止されるので、外観が見苦しくなることがない。
【発明を実施するための最良の形態】
【００１０】
以下、この発明の実施形態を添付図面に基づいて説明する。
【００１１】
この紙箱のブランクでは、図１に示すように、各一対の側板１及び端板２が交互に連設され、一方の側板１の外側縁には継代片３が設けられている。各側板１の下縁には底フラップ４が連設され、一方の側板１の上縁には内蓋フラップ５が、他方の側板１の上縁には外蓋フラップ６がそれぞれ連設されている。また、各端板２の上下縁には、端フラップ７がそれぞれ連設されている。
【００１２】
外蓋フラップ６には、横方向の引裂帯８が設けられ、この引裂帯８は、鉤形の切目が断続する２本の切目線９に挟まれたものとなっている。この切目線９のうち、外蓋フラップ６の基端側に位置する切目線９の中央部分には、凹部１０が設けられている。
【００１３】
内蓋フラップ５の先端中央部には弧状に突出した差込片１１が、両側部には押圧片１２がそれぞれ切込を介して形成され、差込片１１の基端部の幅は、前記切目線９の凹部１０の幅にほぼ等しくなっている。
【００１４】
押圧片１２の基端部には、差込片１１との境界の切込の奥部から側縁へ至る斜め方向の折目線１３が入れられ、差込片１１には、両側縁に亘って基端側へ湾曲した弧状の折目線１４が入れられている。
【００１５】
上記ブランクを組み立てて菓子等の商品を包装するには、図２に示すように、各一対の側板１及び端板２を角筒状に折り曲げ、継代片３を反対側の端板２の内面に貼着して周壁を形成し、下方の端フラップ７を内側へ折り曲げ、底フラップ４同士を貼り合わせて底面を閉止する。その後、箱内に商品を収納し、上方の端フラップ７を内側へ折り曲げ、引裂帯８より先端側で外蓋フラップ６を内蓋フラップ５に貼り合わせて封緘する。
【００１６】
そして、このように封緘した紙箱を開封する際には、図３及び図４に示すように、引裂帯８を一端から引き裂き、外蓋フラップ６を切断すると、外蓋フラップ６及び内蓋フラップ５を開くことができる。この開封状態では、外蓋フラップ６の先端側部分が内蓋フラップ５に貼り付けられたまま残存する。
【００１７】
ここで、図５に示すように、外蓋フラップ６において、引裂帯８の外側に、少なくとも凹部１０を有する切目線９に並行するように、紙材の表面側のみを切断して半切の破止線１５を入れておくと、引裂帯８を引き裂く際、凹部１０からの紙材表面の捲れが破止線１５で阻止されるので、外観が見苦しくなることがない。
【００１８】
一方、上記のように開封した紙箱を再封緘する際には、図６に示すように、差込片１１を凹部１０の位置で外蓋フラップ６の基端側部分の下方に押し込むと、差込片１１と押圧片１２とで外蓋フラップ６の基端側部分が挟持されて、内蓋フラップ５及び外蓋フラップ６が閉じた状態に保持される。
【００１９】
このとき、内蓋フラップ５では、押圧片１２が折目線１３に沿って基端から折れ曲がると共に、差込片１１が折目線１４に沿って折れ曲がるので、内蓋フラップ５をほとんど撓ませることなく、差込片１１を外蓋フラップ６の下方へ容易に差し込むことができる。
【００２０】
このように再封緘した状態では、差込片１１と切目線９の凹部１０が係合して、内蓋フラップ５と外蓋フラップ６の横方向の相互移動が抑制されるので、封緘状態が安定し、周壁が角筒状に保形される。
【００２１】
また、この再封緘状態から開封する際には、いずれか一方の押圧片１２を摘んで引き上げるだけでよい。これにより、差込片１１が外蓋フラップ６の下方から抜け出して、内蓋フラップ５と外蓋フラップ６の係合が外れるので、簡単に開封することができる。
【００２２】
なお、この紙箱では、内蓋フラップ５の差込片１１を円弧状に突出するものとしたが、再封緘時の封緘強度をあまり要求しない場合には、図７に示すように、差込片１１を台形状としてもよい。この場合、折目線１４は省略することができる。
【図面の簡単な説明】
【００２３】
【図１】この発明に係る再封緘構造を備えた紙箱のブランクを示す図
【図２】同上の封緘状態を示す斜視図
【図３】同上の開封過程を示す斜視図
【図４】同上の開封状態を示す斜視図
【図５】同上の引裂帯の外側に破止線を入れた例を示す上面図
【図６】同上の再封緘状態を示す斜視図
【図７】同上の差込片を他の形状とした例を示す斜視図
【図８】従来の再封緘構造を備えた紙箱の封緘状態を示す斜視図
【図９】同上の開封状態を示す斜視図
【符号の説明】
【００２４】
１  側板
２  端板
３  継代片
４  底フラップ
５  内蓋フラップ
６  外蓋フラップ
７  端フラップ
８  引裂帯
９  切目線
１０  凹部
１１  差込片
１２  押圧片
１３，１４  折目線
１５  破止線
【図１】
2005297993.tif 000003
【図２】
2005297993.tif 000004
【図３】
2005297993.tif 000005
【図４】
2005297993.tif 000006
【図５】
2005297993.tif 000007
【図６】
2005297993.tif 000008
【図７】
2005297993.tif 000009
【図８】
2005297993.tif 000010
【図９】
2005297993.tif 000011